(57)【要約】【課題】反射部材を加熱することを抑制するとともに、照射光よりも長い波長光の照射による光源の温度上昇を抑制することによって、反射部材の変形を回避したり、光源の発光寿命の短命化を抑制したりすることができるようにする。【解決手段】ミラー２２を透過する赤外光２４の光軸（２４Ｚ）が、ランプ３０と重なることなくＹ方向にずれるようにする。同様に、ミラー３２を透過する赤外光３４の光軸（３４Ｚ）が、ランプ２０と重なることなくＹ方向にずれるようにする。こうすることによって、ミラー２２，３２を透過した赤外光２４，３４が、ランプ３０，２０を照射する範囲を少なくして、ランプ３０，２０の温度上昇を抑制することができる。【選択図】図３
2010055985.tif 000002
【特許請求の範囲】
【請求項１】
光変調デバイスに対して所定の波長域を有する照明光を照射する照明装置であって、
前記照明光を含む第１の光束を射出する第１の光源と、
前記照明光を含む第２の光束を前記第１の光束と略反平行に射出する第２の光源と、
前記第１の光束のうち前記照明光を、前記光変調デバイスを照射する方向に反射し、前記所定の波長域よりも長い波長を有する光を透過する第１の反射部材と、
前記第２の光束のうち前記照明光を、前記光変調デバイスを照射する方向に反射し、前記所定の波長域よりも長い波長を有する光を透過する第２の反射部材と、
前記第１の反射部材を透過する透過光を受光する第１の受光部材と、
前記第２の反射部材を透過する透過光を受光する第２の受光部材と、
を備え、
前記第１の反射部材を透過する透過光の光軸は、当該光軸方向から見て前記第２の光源とは平面的に重ならず、前記第２の反射部材を透過する透過光の光軸は、当該光軸方向から見て前記第１の光源とは平面的に重ならないように配置され、
前記第１の受光部材および前記第２の受光部材は、前記第１の反射部材および前記第２の反射部材に対して空隙を有して配置されていることを特徴とする照明装置。
【請求項２】
請求項１に記載の照明装置であって、
前記第１の反射部材を透過した透過光の光束は、当該透過光の光軸方向から見て前記第２の光源と平面的に重ならず、前記第２の反射部材を透過した透過光の光束は、当該透過光の光軸方向から見て前記第１の光源と平面的に重ならないように配置されていることを特徴とする照明装置。
【請求項３】
請求項１または２に記載の照明装置であって、
前記第１の反射部材および前記第２の反射部材には、前記所定の波長域よりも短い波長を有する光を吸収する部材が設けられていることを特徴とする照明装置。
【請求項４】
請求項１ないし３のいずれか一項に記載の照明装置であって、
前記第１の受光部材は、前記第２の光源の近傍に配置され、前記第２の受光部材は、前記第１の光源の近傍に配置されていることを特徴とする照明装置。
【請求項５】
照明光を光変調する光変調デバイスと、当該光変調デバイスに対して所定の波長域を有する前記照明光を照射する請求項１ないし４のいずれか一項に記載の照明装置と、を備えるプロジェクタ。
【発明の詳細な説明】
【技術分野】
【０００１】
本発明は、照明装置、およびこの照明装置を備えたプロジェクタに関する。
【背景技術】
【０００２】
プロジェクタは、ライトバルブとも称する光変調デバイスと照明装置を備え、照明装置から射出される所定の波長帯域を有する照明光を、光変調デバイスを透過する際に画素毎に光変調し、表示画像に応じた照度に調節して所定の距離を隔てて設置されたスクリーンに投射する装置である。
【０００３】
さて、通常光変調デバイスを照射する照明光は、Ｒ（赤）、Ｇ（緑）、Ｂ（青）の三色に相当する波長を含む波長域を有する所謂白色光であり、これ以外の波長帯域は、光変調デバイスを照射する時点では既にカットされている。これは、白色光以外の波長帯域に存在する赤外光（ＩＲ光）や紫外光（ＵＶ光）が、光変調デバイスの温度を上昇させて表示性能を劣化させたり、光変調デバイスを構成する有機物（例えば偏光板）を劣化させたりして、光変調デバイスの寿命を短くしてしまう虞があるからである。
【０００４】
そこで、高圧水銀ランプなどの光源からライトバルブに至るまでの照明光の光路途中において、赤外光や紫外光をカットする技術が、数多く提案されている。例えば、特許文献１には、光源（光源部）からそれぞれ射出される光を折り曲げるミラーにおいて赤外光を透過させる構成が開示されている。この構成によって、光学素子（光変調デバイス）への熱負荷を軽減することが可能となる。
【０００５】
ところで、近年、プロジェクタの投射画像をより明るくするために、複数の光源を搭載することが提案されている。この場合、特に、１つの光源から射出された光束から分離された赤外光が、他の光源を照射してしまうと、照射された他の光源は温度が上昇し、発光寿命の短命化を招いてしまう。そこで、例えば、前述の特許文献１において、２つの光源を用いたときに、ミラーを透過したそれぞれの赤外光を吸収する部材を、ミラーに対してそれぞれの光源と反対側の位置に配置するようにした構成が図１２に開示されている。
【０００６】
【特許文献１】特開２００６−３０３３０号公報
【発明の開示】
【発明が解決しようとする課題】
【０００７】
しかしながら、複数の光源を用いたプロジェクタにおいて、例えば特許文献１に開示された構成を用いた場合は、赤外光を吸収する部材がミラーと接触して配置されることになるので、赤外光を吸収する部材が接触するミラー部分の温度は、他の部分よりも大きく上昇してしまう。この結果、温度上昇によってミラーが変形し、光を正しく反射できなくなる虞がある。
【課題を解決するための手段】
【０００８】
本発明は、上述の課題の少なくとも一部を解決するためになされたものであり、以下の形態または適用例として実現することが可能である。
【０００９】
［適用例１］光変調デバイスに対して所定の波長域を有する照明光を照射する照明装置であって、前記照明光を含む第１の光束を射出する第１の光源と、前記照明光を含む第２の光束を前記第１の光束と略反平行に射出する第２の光源と、前記第１の光束のうち前記照明光を、前記光変調デバイスを照射する方向に反射し、前記所定の波長域よりも長い波長を有する光を透過する第１の反射部材と、前記第２の光束のうち前記照明光を、前記光変調デバイスを照射する方向に反射し、前記所定の波長域よりも長い波長を有する光を透過する第２の反射部材と、前記第１の反射部材を透過する透過光を受光する第１の受光部材と、前記第２の反射部材を透過する透過光を受光する第２の受光部材と、を備え、前記第１の反射部材を透過する透過光の光軸は、当該光軸方向から見て前記第２の光源とは平面的に重ならず、前記第２の反射部材を透過する透過光の光軸は、当該光軸方向から見て前記第１の光源とは平面的に重ならないように配置され、前記第１の受光部材および前記第２の受光部材は、前記第１の反射部材および前記第２の反射部材に対して空隙を有して配置されていることを特徴とする。
【００１０】
この構成によれば、一方の光源から射出される光束に含まれ、照射光よりも長い波長を有する光は、反射部材を透過する。さらに反射部材を透過した光が他方の光源を照射する照射範囲が少ない。この結果、照射光よりも長い波長光の照射による反射部材の温度上昇と光源の温度上昇とを、ともに抑制することができる。従って、反射部材の変形を回避したり、光源の発光寿命の短命化を抑制したりすることができる。
【００１１】
［適用例２］上記照明装置であって、前記第１の反射部材を透過した透過光の光束は、当該透過光の光軸方向から見て前記第２の光源と平面的に重ならず、前記第２の反射部材を透過した透過光の光束は、当該透過光の光軸方向から見て前記第１の光源と平面的に重ならないように配置されていることを特徴とする。
【００１２】
この構成によれば、一方の光源から射出される光束に含まれ、照射光よりも長い波長を有する光が、他方の光源を照射する範囲をさらに抑制することができるので、光の照射による光源の温度上昇によって生ずる光源の発光寿命の短命化をさらに抑制することができる。
【００１３】
［適用例３］上記照明装置であって、前記第１の反射部材および前記第２の反射部材には、前記所定の波長域よりも短い波長を有する光を吸収する部材が設けられていることを特徴とする。
【００１４】
この構成によれば、一方の光源から射出される光束に含まれ、照射光よりも短い波長を有する光が、他方の光源を照射しないようにすることができるので、光の照射による光源の劣化を抑制することができる。また、照射光よりも短い波長を有する光を反射部材によってカットして光変調デバイスに照射されないようにするので、照射光よりも短い波長を有する光をカットする部材を別途設ける必要がなく、照明装置の構成が複雑にならずに済むという効果を奏する。
【００１５】
［適用例４］上記照明装置であって、前記第１の受光部材は、前記第２の光源の近傍に配置され、前記第２の受光部材は、前記第１の光源の近傍に配置されていることを特徴とする。
【００１６】
この構成によれば、光源と受光部材とが近くなるように配置されているので、光源と同時に受光部材を冷却することが可能である。従って、光源の冷却手段と受光部材の冷却手段とを別々に設ける必要がないので、照明装置が大きくならずに済むという利点を奏する。
【００１７】
［適用例５］照明光を光変調する光変調デバイスと、当該光変調デバイスに対して所定の波長域を有する前記照明光を照射する上記照明装置と、を備えるプロジェクタ。
【００１８】
このプロジェクタによれば、一方の光源から射出される光束に含まれ、照射光よりも長い波長を有する光が、反射部材を透過するとともに他方の光源を照射する照射範囲が少なくなるように抑制する。この結果、反射部材を加熱することが抑制できるとともに、照射光よりも長い波長光の照射による光源の温度上昇を抑制することができる。従って、反射部材の変形を回避したり、光源の発光寿命の短命化を抑制したりするプロジェクタを提供することができる。
【発明を実施するための最良の形態】
【００１９】
以下、本発明を実施例に基づいて説明する。図１は、本発明を具現化した一実施例となるプロジェクタ１０の構成概要を説明する説明図である。なお、以降本実施例の説明に際して用いる図面は、必要に応じて長さや大きさを誇張して図示しており、実際の長さや大きさとは異なる場合がある。
【００２０】
このプロジェクタ１０は、スクリーン１８に投射する画像を形成する光変調デバイスとしてのライトバルブ１５と、このライトバルブ１５に対して照明光を照射する照明装置１００を備えている。照明装置１００から射出された照明光は、レンズ１１とレンズ１２によってライトバルブ１５の画像表示領域を照射する光束に集束され、その後、ライトバルブ１５を通過する際に、表示画像に応じて光変調される。光変調された照明光は、投射レンズ１６によって、スクリーン１８上に投射画像として投射される。
【００２１】
なお、プロジェクタ１０は、照明装置１００からの照明光を所定の波長を有する光に分光し、各分光光を複数のライトバルブ１５によって光変調し、その後各光変調された分光を集光して投射する構成を採用することも可能である。例えば、照明光をダイクロイックミラーなどによってＲ（赤）光、Ｇ（緑）光、Ｂ（青）光に分光し、分光したＲ光、Ｇ光、Ｂ光を３枚のライトバルブ１５を用いてそれぞれ光変調し、その後クロスプリズムなどで集光する構成としてもよい。従って、本実施例において図１に示した光学構成は、照明装置１００から射出された照明光について、スクリーン１８に投射画像が投射されるまでの原理的な一構成を示すものである。
【００２２】
照明装置１００は、本実施例では２つの光源を有し、第１の光源としてのランプ２０と、ランプ２０と対向配置された第２の光源としてのランプ３０とが備えられている。ランプ２０とランプ３０とは、ランプから射出される光束の光軸が互いに略反平行となるように対向配置されている。ランプ２０，３０は、高圧水銀ランプやキセノンランプ、あるいはメタルハライドランプやＬＥＤランプが採用可能であり、発光部が発光する前述した照明光を含む光を反射鏡による反射を行うなどして光を射出する。従って、ランプ２０，３０は、反射鏡などの形状に応じて所定の照射領域範囲を有する光束を射出する。
【００２３】
ランプ２０から射出された光束２１は、第１の反射部材としてのミラー２２を照射する。ミラー２２は、ライトバルブ１５を照射する照明光となる所定の波長域の光を反射する反射特性を有し、光束２１に含まれる光のうち照明光２３を、ライトバルブ１５を照射する方向に反射する。同じく、ランプ３０から射出された光束３１は、第２の反射部材としてのミラー３２を照射する。ミラー３２は、ライトバルブ１５を照射する照明光となる所定の波長域の光を反射する反射特性を有し、光束３１に含まれる光のうち照明光３３を、ライトバルブ１５を照射する方向に反射する。
【００２４】
ここで、ミラー２２およびミラー３２について説明する。なお、本実施例では、ミラー２２とミラー３２は同一構成であるので、代表してミラー２２について図２の模式図を用いて説明する。
【００２５】
図２に示すように、ミラー２２は、ランプ２０側に位置し、照明光の波長域よりも短い波長を有する光（本実施例では、以降「紫外光」と呼ぶ）を吸収する吸収部材２２ｕｖと、ランプ２０と反対側に位置し、照明光の波長域よりも長い波長を有する光（本実施例では、以降「赤外光」と呼ぶ）を透過する透過部材２２ｉｒと、を張り合わせて形成されている。吸収部材２２ｕｖとして、本実施例では周知の紫外線吸収フィルムを用いる。あるいは、例えば酸化亜鉛や酸化チタンなどからなる紫外線吸収剤を、透過部材２２ｉｒの表面にコーティングして形成することとしてもよい。また、透過部材２２ｉｒとして、本実施例ではガラス等の透明基板に所定の材料を蒸着して形成した周知のダイクロイックミラーを用いる。
【００２６】
この結果、光束２１に含まれる照明光の波長域よりも短い波長を有する光（本実施例では、以降「紫外光」と呼ぶ）は、吸収部材２２ｕｖに吸収される。吸収された紫外光は、波長が短いために熱エネルギーが小さく、従ってミラー２２においてミラー２２を変形させる程の大きな温度上昇は生じない。一方、波長が長く熱エネルギーの大きい赤外光は、透過光２４となって、ミラー２２を透過する。従ってミラー２２において大きな温度上昇は発生せず、ミラー２２の変形は生じないのである。
【００２７】
図１に戻り、ミラー２２およびミラー３２を透過する赤外光である図示しない透過光２４および透過光３４は、受光部材２５および受光部材３５を照射する。受光部材２５および受光部材３５は、本実施例では、赤外光を吸収する部材で形成されている。従って、ランプ２０，３０から射出された赤外光が照明装置１００内で反射することなく吸収される。
【００２８】
さらに照明装置１００は、冷却手段としての送風ファン２９と送風ファン３９を備えている。送風ファン２９は、ランプ２０の冷却と同時に、ランプ２０に対して近傍（隣接状態を含む）に配置された受光部材３５を冷却する。また、送風ファン３９は、ランプ３０の冷却と同時に、ランプ３０に対して近傍（隣接状態を含む）に配置された受光部材２５を冷却する。
【００２９】
ここで、本実施例では、以降の説明の都合上、図１において、ライトバルブ１５の面内方向であって、ランプ２０とランプ３０の配列方向つまり図面左右方向をＸ方向（右方向をプラス方向）とし、Ｘ方向に交差する方向つまり図面表裏方向をＹ方向（表側をプラス方向）とする。
【００３０】
さて、ミラー２２，３２で反射した照明光２３，３３は、ライトバルブ１５を照明する。このとき、本実施例では、照明光２３が照明するライトバルブ１５の照明領域１５Ａと、照明光３３が照明するライトバルブ１５の照明領域１５Ｂとが、図中吹き出し部に示したように、Ｙ方向において隣接するように照明する。すなわち、ミラー２２とミラー３２は、Ｙ方向においてプラス側にミラー２２が、マイナス側にミラー３２が隣接状態で配置される。
【００３１】
上述したランプ２０，３０、ミラー２２，３２、受光部材２５，３５の配置状況について、図３を用いて補足説明する。図３は、ランプ２０，３０、ミラー２２，３２、受光部材２５，３５の配置状況を示した斜視図である。なお、図３においては、光束をその光束の光軸に相当する一本の直線で代用表示している。
【００３２】
図示するように、ランプ２０とランプ３０は、互いにＹ方向にオフセットされて配置されている。本実施例では、ランプ２０がＹ方向のプラス側に位置する。そして、ランプ２０からは、Ｘ方向のプラス側に光束２１が射出され、ランプ３０からは、光束２１と平行光であって、Ｘ方向のマイナス側に光束３１が射出される。
【００３３】
光束２１は、ミラー２２によって、紫外光が吸収され赤外光が透過して、照明光２３が光変調デバイスに向かって反射される。ミラー２２は、Ｘ方向とＹ方向とに一対の辺を有する矩形形状を有しており、照明光２３がライトバルブ１５の照明領域１５Ａを照射するように設置されている。また、吸収部材２２ｕｖ（不図示）はランプ２０側に向いている。
【００３４】
同様に、光束３１は、ミラー３２によって、紫外光が吸収され赤外光が透過して、照明光３３が光変調デバイスに向かって反射される。ミラー３２は、Ｘ方向とＹ方向とに一対の辺を有する矩形形状を有しており、照明光３３がライトバルブ１５の照明領域１５Ｂを照射するように設置されている。また、吸収部材３２ｕｖ（不図示）はランプ２０側に向いている。
【００３５】
本実施例では、このようにランプ２０，３０およびミラー２２，３２をＹ方向にずらして配置構成することによって、ミラー２２を透過する赤外光２４の光軸（２４Ｚ）が、ランプ３０と重ならず、ミラー３２を透過する赤外光３４の光軸（３４Ｚ）が、ランプ２０と重ならないようにする。こうすることによって、ミラー２２，３２を透過した赤外光２４，３４が、ランプ３０，２０を照射する範囲を少なくして、ランプ３０，２０の温度上昇を抑制することができるのである。
【００３６】
この様子を、図４を用いて説明する。図４は、ランプ２０，３０をＸ（マイナス）方向から見た状態を示した説明図であり、ランプ２０から射出されミラー２２で反射された照明光２３がライトバルブ１５の照明領域１５Ａを照射し、ランプ３０から射出されミラー３２で反射された照明光３３がライトバルブ１５の照明領域１５Ｂを照射する様子を示している。
【００３７】
本実施例では、図示するように、ミラー２２とミラー３２とをＹ方向に隣接して配置することによって、ランプ２０から射出されミラー２２を透過する透過光２４の光軸２４Ｚを、ランプ３０とは平面的に重ならないようにする。同じく、ランプ３０から射出されミラー３２を透過する透過光３４の光軸３４Ｚを、ランプ２０とは平面的に重ならないようにする。従って、ランプ２０，３０から射出する光束の照射領域範囲が図４において凡そランプ２０，３０の大きさと同じであった場合、一方のランプの透過光（赤外光）が他方のランプを照射する範囲を、図中ハッチングで示した領域範囲に抑制することができる。この結果、赤外光の照射によるランプ２０，３０の温度上昇を抑制することができるのである。
【００３８】
さて、図３に戻り、ミラー２２，３２を透過した透過光２４，３４のうち、ランプ３０，２０を照射する赤外光を除く大部分の赤外光２４,３４はそのままランプ３０の近傍を通過する。そこで、ランプ３０と隣接状態を含む近傍に受光部材２５，３５を設置して、通過する赤外光を受光する。
【００３９】
本実施例では、受光部材２５，３５は、赤外光を吸収する部材（例えば窒化アルミやタングステン酸化物など）で形成されている。従って、ランプ２０，３０から射出された赤外光は、その大半がこれらの受光部材２５，３５によって吸収されるので、照明装置１００内あるいはプロジェクタ１０を構成する部材（不図示）に対する赤外光の影響を回避または抑制することができる。
【００４０】
なお、受光部材２５，３５は赤外光の吸収によって発熱するが、ミラー２２，３２とは空隙を介して離れているため、ミラー２２，３２を高温にする虞がない。また、前述したようにランプ２０，３０と同時に、送風ファンによって受光部材２５，３５が高温にならないように冷却される。
【００４１】
以上、図１から図４を用いて説明したように、本実施例による照明装置１００を備えたプロジェクタ１０によれば、一方のランプから射出される光束に含まれ、照射光よりも長い波長を有する赤外光が、ミラーを透過するとともに他方のランプを照射する照射範囲が少なくなるように抑制する。この結果、赤外光によるミラーの加熱の抑制とともに、ランプの温度上昇を抑制することができる。従って、ミラーの変形や、ランプの発光寿命の短命化を抑制することが可能となる。
【００４２】
以上、本発明の実施の形態について実施例を用いて説明したが、本発明はこうした実施例に何ら限定されるものではなく、本発明の趣旨を逸脱しない範囲内において様々な形態で実施し得ることは勿論である。以下、変形例を挙げて説明する。
【００４３】
（第１変形例）
上記実施例では、２つのランプ２０，３０を備えた照明装置１００として説明したが、これに限らず、さらに多くのランプを備える照明装置１００であってもよい。本変形例を図５を用いて説明する。図５は、一例として照明装置１００が備えるランプが３つの場合を示した斜視図である。なお、図５においては、図３と同様、光束をその光束の光軸に相当する一本の直線で代用表示している。また、図３と同じ構成部材に対しては同じ符号を付している。
【００４４】
図示するように、本変形例は、図３に示した上記実施例の構成において、Ｙ方向のマイナス側にミラー３２と隣接するミラー４２を配置する。そして、ミラー４２の位置に合わせて、ランプ４０と受光部材４５とを、ランプ３０に対してオフセットして配置したものである。従って、ランプ４０からは、光束２１と平行光であって、光束２１と同方向となるＸ方向のマイナス側に光束４１が射出される。
【００４５】
ランプ４０から射出された光束４１は、ミラー４２によって、紫外光が吸収され赤外光が透過して、照明光４３が光変調デバイスに向かって反射される。ミラー４２は、Ｘ方向とＹ方向とに一対の辺を有する矩形形状を有しおり、照明光４３がライトバルブ１５の照明領域１５Ｃを照射するように設置されている。従って、本変形例では、ライトバルブ１５は、Ｙ方向において互いに隣接する照明領域１５Ａ、照明領域１５Ｂ、照明領域１５Ｃの３つの領域を、それぞれ、照明光２３、照明光３３、照明光４３が照明する。
【００４６】
本変形例では、このようにランプ２０、ランプ３０およびランプ４０を配置構成することによって、ミラー４２を透過する赤外光４４の光軸（４４Ｚ）が、ランプ３０と重なることなくＹ方向（マイナス側）にずれることになる。この結果、ミラー４２を透過した赤外光４４が、ランプ３０を照射する範囲を少なくして、ランプ３０の温度上昇を抑制することができるのである。
【００４７】
また、ランプ４０は受光部材３５の近傍に配置されるので、ランプ２０および受光部材３５と一緒に、送風ファン２９によって冷却することができる。一方、受光部材４５は、ランプ３０の近傍に配置されるので、受光部材２５およびランプ３０と一緒に、送風ファン３９によって冷却することができる。
【００４８】
なお、本変形例では、ライトバルブ１５の照明領域が、上記実施例に比べて照明領域１５Ｃ分Ｙ方向に長くなるように図示しているが、これは説明の都合上であって、ライトバルブ１５におけるＹ方向の照明領域の大きさに応じて、ミラー２２，３２，４２のＹ方向の長さを調節（短く）する。なお、このとき、各ランプ２０，３０，４０の透過光２４，３４，４４の光軸２４Ｚ，３４Ｚ，４４Ｚが対向配置されたランプと重ならないように配置することは言うまでもない。
【００４９】
（第２変形例）
上記実施例では、透過光の光軸が対向するランプと重ならないようにして、赤外光がランプを照射する範囲を抑制することとしたが、さらに、透過光の光束がランプと重ならないように配置することとしてもよい。こうすれば、赤外光がランプを照射しないので、赤外光によるランプの温度上昇を確実に抑制することが期待できる。
【００５０】
本変形例を図６を用いて説明する。図６は、ランプ２０，３０をオフセット配置した状態を示す説明図である。本変形例では、上記実施例にようにランプ２０とランプ３０とをＹ方向にオフセットするのではなく、図６に示したように、ライトバルブ１５に対する照明光２３，３３の射出方向（これをＺ方向とする）にオフセットするのである。こうすることによって、ライトバルブ１５において隣接する２つの照明領域１５Ａと照明領域１５Ｂとを照明するとともに、ミラーを透過する赤外光がランプを照射しないように設置することができる。なお、上記実施例では、照明領域１５Ａと照明領域１５ＢとはＹ方向に隣接する照明領域であったが、本変形例では、上記実施例とは異なり、照明領域１５Ａと照明領域１５Ｂとは、Ｘ方向に隣接する照明領域となる。
【００５１】
具体的には、ランプ２０から射出される光束２１のうちミラー２２を透過する透過光２４がランプ３０を照明せず、ランプ３０から射出される光束３１のうちミラー３２を透過する透過光３４がランプ３０を照明しないように、ランプ２０とランプ３０とをＺ方向においてずらして配置すればよい。この結果、各ランプ２０，３０について、上記実施例において図４のハッチングで示した赤外光の照射範囲を減少もしくは発生しないように設置することが可能となる。従って、赤外光によるランプの温度上昇を確実に抑制することができる。
【００５２】
ところで、本変形例において、ランプ２０とミラー２２との間の距離と、ランプ３０とミラー３２との間の距離とが同じであるとすると、ランプ２０とランプ３０とをＺ方向にオフセットすることによって、ランプ２０，３０とライトバルブ１５までのそれぞれの光路長に差が生じる。すると、ランプ２０とランプ３０とから射出する光束２１と光束３１とが同じ明るさを有していても、ライトバルブ１５を照射する照明光の明るさが、照明領域１５Ａと照明領域１５Ｂとで異なってしまうことになる。
【００５３】
そこで、本変形例において、ランプ２０，３０とライトバルブ１５までのそれぞれの光路長が同じになるように、ランプ２０とミラー２２との間の距離、あるいはランプ３０とミラー３２との間の距離を調節することが好ましい。この一例を図７に示した。
【００５４】
図７は、ランプ２０をＸマイナス方向に移動した状態を示した模式図である。図示するように、ランプ２０とミラー２２との間の距離を、ランプ２０の光軸２１Ｚとランプ３０の光軸３１Ｚとのオフセット量Ｌｚ分遠くするのである。こうすることによって、ランプ２０，３０とライトバルブ１５までのそれぞれの光路長が同じになり、ライトバルブ１５を照射する照明光の明るさが、照明領域１５Ａと照明領域１５Ｂとで同じになる確率が高くなる。
【００５５】
なお、図７においてはランプ２０をミラー２２から遠くするように移動することとしたが、ランプ３０をミラー３２に近くなるように移動することとしてもよい。あるいは、ランプ２０およびランプ３０の双方を移動することとしてもよい。
【００５６】
（第３変形例）
さらに、第３変形例として、上記実施例および上記第２変形例とを組み合わせた構成としてもよい。このような構成は、ライトバルブ１５の照明領域がＸ方向およびＹ方向それぞれ複数分割されている場合に有効である。一例として、照明領域がＸ方向Ｙ方向ともに２つに分割された場合におけるランプとミラーの配置例を、図８に示した。
【００５７】
図８に示したように、ライトバルブ１５において分割された４つの照明領域のうち、ランプ２０が照明領域１５Ａを、ランプ３０が照明領域１５Ｂを、ランプ４０が照明領域１５Ｃを、ランプ５０が照明領域１５Ｄを、それぞれ照明光２３、照明光３３、照明光４３、照明光５３によって照明する。従って、照明光２３を反射するミラー２２、照明光３３を反射するミラー３２、照明光４３を反射するミラー４２、照明光５３を反射するミラー５２は、それぞれ図示したように配置される。すなわち、Ｚ方向から見たとき、ミラー２２とミラー３２、およびミラー４２とミラー５２が、それぞれＸ方向において隣接し、ミラー２２とミラー４２、およびミラー３２とミラー５２が、それぞれＹ方向において隣接するように配置される。
【００５８】
従って、本変形例では、ランプ２０がランプ５０に対して、またランプ３０がランプ４０に対して、それぞれＹ方向にオフセットされ、前述したように、一方のランプの透過光（赤外光）の光軸が、他方のランプと重ならないように構成される。また、ランプ２０がランプ３０に対して、またランプ５０がランプ４０に対して、それぞれＺ方向にオフセットされ、前述したように、一方のランプの透過光（赤外光）が、他方のランプと重ならないように構成される。この結果、赤外光による各ランプの温度上昇が抑制される。
【００５９】
なお、各ミラー２２，３２，４２，５２を透過する赤外光は、それぞれランプ５０の近傍に配置された受光部材２５、ランプ４０の近傍に配置された受光部材３５、ランプ３０の近傍に配置された受光部材４５、ランプ２０の近傍に配置された受光部材５５、によってそれぞれ受光吸収される。
【００６０】
（その他の変形例）
上記実施例では、反射部材として、紫外光を吸収する吸収部材と、赤外光を透過する透過部材と、を張り合わせて形成されたミラーを用いることとしたが、必ずしもこれに限るものでないことは勿論である。例えば、紫外光がライトバルブの劣化に及ぼす影響が少ない、もしくは問題とならない場合は、紫外光を吸収する吸収部材を張り合わせなくてもよく、赤外光を透過する透過部材のみで形成されたミラーを用いることとしてもよい。
【００６１】
あるいは、紫外光を赤外光と同様に透過し、照明光を反射するように機能構成できる部材であれば、このような部材をミラーとして用いることが好ましい。この場合は、吸収部材を、赤外光に加えて紫外光も受光吸収できる部材とすることが好ましい。
【００６２】
また、上記実施例では、各ミラーを、Ｚ方向視で、Ｘ方向あるいはＹ方向に隣接するように配置して、ライトバルブ上において分割された照明領域を照明することとしたが、必ずしもこれに限らず、Ｚ方向視で、Ｘ方向あるいはＹ方向において隙間を有して隣り合うように配置されていることとしてもよい。こうすれば、透過光（赤外光）のランプ照射範囲を減少もしくはゼロとすることが可能となり、ランプの温度上昇をさらに抑制することができる。もとより、この場合は、各ミラーで反射された照明光が、ライトバルブに到達した時点で、分割された照明領域を照明するように、各ミラーおよびランプを配置すればよい。
【図面の簡単な説明】
【００６３】
【図１】本発明の一実施例となるプロジェクタの構成概要を説明する説明図。
【図２】本実施例におけるミラーについての模式図。
【図３】ランプ、ミラー、受光部材の配置状況を示した斜視図。
【図４】ランプをＸ（マイナス）方向から見た状態を示した説明図。
【図５】変形例で、照明装置が備えるランプが３つの場合を示した斜視図。
【図６】変形例で、ランプをオフセット配置した状態を示す説明図。
【図７】変形例で、ランプをＸマイナス方向に移動した状態を示した模式図。
【図８】変形例で、照明領域がＸ方向Ｙ方向ともに２つに分割された場合におけるランプとミラーの配置例を示す図。
【符号の説明】
【００６４】
１０…プロジェクタ、１１，１２…レンズ、１５…ライトバルブ、１５Ａ…照明領域、１５Ｂ…照明領域、１５Ｃ…照明領域、１５Ｄ…照明領域、１６…投射レンズ、１８…スクリーン、２０…ランプ、２１…光束、２２…ミラー、２２ｉｒ…透過部材、２２ｕｖ…吸収部材、２３…照明光、２４…透過光（赤外光）、２４Ｚ…光軸、２５…受光部材、２９…送風ファン、３０…ランプ、３１…光束、３２…ミラー、３２ｕｖ…吸収部材、３３…照明光、３４…透過光（赤外光）、３４Ｚ…光軸、３５…受光部材、３９…送風ファン、４０…ランプ、４１…光束、４２…ミラー、４３…照明光、４４…赤外光、４４Ｚ…光軸、４５…受光部材、５０…ランプ、５２…ミラー、５３…照明光、５５…受光部材、１００…照明装置。
【図１】
2010055985.tif 000003
【図２】
2010055985.tif 000004
【図３】
2010055985.tif 000005
【図４】
2010055985.tif 000006
【図５】
2010055985.tif 000007
【図６】
2010055985.tif 000008
【図７】
2010055985.tif 000009
【図８】
2010055985.tif 000010